(57)【要約】【課題】従来のドア開閉機構は、ドアの内側に重量物を実装させてドアを開閉する場合、重量物の自重によるモーメントがドアの開方向に作用し、かつバネの弾性力も加わるため、開くときに多大な力を必要としていた。【解決手段】操作者がドア２を手前に引く場合、重量物７の自重によるモーメントが作用しドア２は閉鎖方向へ回動する。しかしダンパー９によりこのモーメントを打ち消す方向の力が働き、ドア２を引く力を軽減させる。ドア２の回動が進行し、重量物７の重心が支点３の回転軸上の上死点を越え、かつ開閉両方向に制動可能なダンパー４の一端がブラケット６の楕円穴６‘上を摺動し、楕円穴６’の端で停止した時点からダンパー４が作用を始める。さらにドア２の回動が進むと、重量物７のモーメントは、逆にドア２を開放させる方向へ作用する。このモーメントに対しては、ダンパー６による打ち消す方向の力が働く。【選択図】    図３
2005023608.tif 000002
【特許請求の範囲】
【請求項１】
底辺左右方向から回転軸により軸支される片側開き扉を有してなる筐体のドア開閉機構において、
前記片側開き扉の内側に形成され、該片側開き扉の開閉動作中でも載置物を載置状態で保持する棚部と、
前記筐体側の一端は前記棚部に載置した物体の重心が前記回転軸を越える寸前まで平行摺動自在に、かつ前記扉側の他端は前記棚部に載置した物体の重心が前記回転軸を越えた瞬間から回動自在となるよう、前記片側開き扉及び前記筐体を連結し、該回転軸の上死点を越えた瞬間から該片側開き扉の開閉動作を両方向ともに制動する双方向ダンパーと、
前記片側開き扉の閉鎖動作のみを制動する閉鎖方向ダンパーと、
前記片側開き扉の開放動作のみを制動する開放方向ダンパーとにより構成されたことを特徴とする筐体のドア開閉機構。
【発明の詳細な説明】
【０００１】
【発明の属する技術分野】
本発明は、収納用筐体のドア開閉機構に関し、特にドア開閉の制動機構に関する。
【０００２】
【従来の技術】
従来のドアを開閉する場合のダンパー機構として、実開平１−１７４７４０号公報「カセットドア−の開閉機構」に記載された技術が公知である。以下、この公報を基に従来の開閉機構について簡単に説明する。
【０００３】
手でドアを手前に引き出す際、ドアがドア押さえバネから外れるまでの間、ダンパーによる制動が空隙によって加わらずドアを開くため、ドアを回動するバネの強さはそれほど必要とされない。このドアの回動状態が進行してドア押さえバネからドアが外れると、ドアとダンパーの連結部分に設けた空隙が結合状態となり、ドアはダンパーで制動され開閉動作は円滑に行われることとなる。
【０００４】
【発明が解決しようとする課題】
しかしながら、上述した従来のドア開閉機構は、ドアの内側に重量物ユニットを実装させてドアを開閉する場合、重量物ユニットの自重によるモーメントがドアの開方向に作用し、かつドア押さえバネの弾性力も加わるため、ドアを開くときに多大な力を必要としていた。
【０００５】
また、ドア内側の重量物ユニットの重心位置が、ドア支点の回転軸上の上死点を越えると、重量物ユニットの自重によるモーメントが作用してドアは開く方向に動いてしまうたま、逆に手でドアを支持しなければならなかった。
【０００６】
さらにドアを閉める際、ドア内側の重量物ユニットの重心によるモーメントが、ドアが開く方向に作用するので、ドアを閉める際にそのモーメントを打ち消すことのできる力が求められ、ドアを閉める場合に多大な力をかける必要があった。
【０００７】
さらに、ドア内側の重量物ユニットの重心位置が、ドア支点の回転軸状の上死点を越えてしまうと、自重によるモーメントがドア閉方向に作用して、多大な力がドアに急激にかけられる。そのため、ドアに誤って指を挟まれる危険がある。
【０００８】
本発明の目的は、これらの課題を解消し、操作性の向上したドア開閉機構を提供することを目的としている。
【０００９】
【課題を解決するための手段】
以上の課題を鑑み、本発明のドア開閉機構は、底辺左右方向から回転軸により軸支される片側開き扉を有してなる筐体のドア開閉機構において、前記片側開き扉の内側に形成され、該片側開き扉の開閉動作中でも載置物を載置状態で保持する棚部と、前記筐体側の一端は前記棚部に載置した物体の重心が前記回転軸を越える寸前まで平行摺動自在に、かつ前記扉側の他端は前記棚部に載置した物体の重心が前記回転軸を越えた瞬間から回動自在となるよう、前記片側開き扉及び前記筐体を連結し、該回転軸の上死点を越えた瞬間から該片側開き扉の開閉動作を両方向ともに制動する双方向ダンパーと、前記片側開き扉の閉鎖動作のみを制動する閉鎖方向ダンパーと、前記片側開き扉の開放動作のみを制動する開放方向ダンパーとにより構成されたことを特徴としている。
【００１０】
【特許文献１】
実開平１−１７４７４０号
【００１１】
【発明の実施の形態】
以下、本発明の実施形態について、図面を参照して詳細に説明する。
【００１２】
図１に示すように、内側に重量物ユニット７を実装することのできるドア２と、ドア２を回動支持する支点３が、フレーム１と連結されている。ドア２の中央部分から、ドア２が開閉する際に開閉両方向ともに制動可能なダンパー４が、ブラケット６に形成された楕円穴６‘と係合している。ドア２の下部からは、閉鎖方向に作用するダンパー８が、フレーム１にネジなどの締結手段で係合されている。さらにドア２の上部からは、開放方向に作用するダンパー９が同様にフレーム１に係合されている。
【００１３】
続いて本発明の実施形態の動作について、図２から図５を参照して説明していく。
【００１４】
図２において、操作者がドア２の上部を手で手前（開放方向、図中における反時計方向）に引く場合、重量物ユニット７の自重によるモーメントが作用し、ドア２は閉鎖方向へ回動する。しかし、ダンパー９によりこのモーメントを打ち消す方向の力が働き、その結果操作者が手でドア２を引く力を軽減させている。
【００１５】
このドア２の回動が進行し、図３に示すように重量物ユニット７の重心がドア支点３の回転軸上の上死点を越え、かつ開閉両方向に制動可能なダンパー４の一端が係合しているブラケット６の楕円穴６‘上を移動し、楕円穴６’の端で停止した時点から、ダンパー４が作用を始める。
【００１６】
さらにドア２の回動が進むと、重量物ユニット７の自重によるモーメントは、逆にドア２を開放させる方向へ作用する。このモーメントに対して、ダンパー６によってこれを打ち消す方向の力が働く。これにより手で支持しておかなくても、ドア２は緩やかに開放する。
【００１７】
ドア２を閉める場合については、図４に示すように、重量物ユニット７と各ダンパー４，６，９は、モーメント的に釣り合っており、ドア２を手で閉鎖方向へ回動させるときにも、小さな力で事足りることになる。
ドア２の回動が進んで、図５に示すように、重量物ユニット７の重心がドア支点の回転軸上の上死点を越え、かつ開閉両方向に制動可能なダンパー４の一端が楕円穴６‘上を移動して楕円穴６’の端で停止した時点からダンパー４が作用を始め、ドア２の回動動作は緩やかになる。
【００１８】
【発明の効果】
以上説明してきたように、本発明のドア開閉機構においては、開閉両方向への回動時にそれぞれ生じる重量物ユニットの自重によるモーメントを、ダンパーを組み合わせていずれも相殺することにより、ドアを開閉する際の力が小さくて済むという効果を奏する。
【００１９】
また、ドアが勢いよく開いたり閉じたりするということがなくなるため、閉鎖するドアに指を挟んだり、或いは開放するドアに衝突して負傷するといった事故が減少するという効果も奏する。
【図面の簡単な説明】
【図１】本発明のドア開閉機構の実施形態を示す斜視図である。
【図２】ドアが開放方向に回動している状態（上死点通過前）を示す内部機構図である。
【図３】ドアが開放方向に回動している状態（上死点通過後）を示す内部機構図である。
【図４】ドアが閉鎖方向に回動している状態（上死点通過前）を示す内部機構図である。
【図５】ドアが閉鎖方向に回動している状態（上死点通過後）を示す内部機構図である。
【符号の説明】
１    フレーム
２    ドア
３    支点
４    双方向ダンパー
５    ピン
６    ブラケット
６‘    楕円穴
７    重量物ユニット
８    片方向ダンパー（伸び方向のみ制動）
９    片方向ダンパー（縮み方向のみ制動）
【図１】
2005023608.tif 000003
【図２】
2005023608.tif 000004
【図３】
2005023608.tif 000005
【図４】
2005023608.tif 000006
【図５】
2005023608.tif 000007